(57)【特許請求の範囲】
【請求項１】
無線基地局の送信基準タイミングに対する規定された受信信号の同期ワードの位置をカバーする第１の同期ワード検出ウインドウを生成する手段と，
該第１の同期ワード検出ウインドウ内で，且つ前記同期ワードの位置をカバーする第２の同期ワード検出ウインドウを生成する手段と，
前記同期ワードを前記第１の同期ワード検出ウインドウまたは，前記第２の同期ワード検出ウインドウで検出する同期ワード検出手段と，
前記第２の同期ワード検出ウインドウを生成する手段のリセット条件を満たす時に，前記同期ワードの検出位置を基準にして，前記第１の同期ワード検出ウインドウ内における前記第２の同期ワード検出ウインドウの生成位置を変更する制御手段を有する
ことを特徴とする無線基地局受信同期保護設定方式。
【請求項２】
請求項１において，
前記同期ワード検出手段により，前記第１の同期ワード検出ウインドウ内で，前記同期ワードを検出した際，次のフレームでは，前記第２の同期ワード検出ウインドウ内で，前記同期ワードを検出するよう制御されることを特徴とする無線基地局受信同期保護設定方式。
【請求項３】
請求項１において，
前記同期ワードは，複数のビットで構成され，前記制御手段は，前記第２の同期ワード検出ウインドウを生成する手段のリセット条件として，前記同期ワードのビット誤り率が所定の値以上になった時，前記第２の同期ワード検出ウインドウの前記第１の同期ワード検出ウインドウ内における生成位置を変更することを特徴とする無線線基地局受信同期保護設定方式。
【請求項４】
請求項１において，
さらに，受信信号は，複数のビットで構成されるカラーコードを有し，前記制御手段は，前記第２の同期ワード検出ウインドウを生成する手段のリセット条件として，前記カラーコードのビット誤り率が所定の値以上になった時，前記第２の同期ワード検出ウインドウの前記第１の同期ワード検出ウインドウ内における生成位置を変更することを特徴とする無線線基地局受信同期保護設定方式。
【請求項５】
請求項１において，
前記制御手段は，前記第２の同期ワード検出ウインドウを生成する手段のリセット条件として，前記無線基地局で受信する受信信号の任意のフレーム数における位相の平均値の差が所定の値以上になった時，前記第２同期ワード検出ウインドウの前記第１の同期ワード検出ウインドウ内における生成位置を変更することを特徴とする無線基地局受信同期保護設定方式。
【請求項６】
請求項１において，
前記制御手段は，前記第２の同期ワード検出ウインドウを生成する手段のリセット条件として，前記無線基地局で受信する受信信号に対するＢＣＨ復号を行った結果が誤りであった時，前記第２の同期ワード検出ウインドウの前記第１の同期ワード検出ウインドウ内における生成位置を変更することを特徴とする無線基地局受信同期保護設定方式。
【請求項７】
請求項１において，
前記制御手段は，前記第２の同期ワード検出ウインドウを生成する手段のリセット条件として，前記無線基地局で受信する受信信号に対するＣＲＣ演算を行った結果が誤りであった時，前記第２の同期ワード検出ウインドウの前記第１の同期ワード検出ウインドウ内における生成位置を変更することを特徴とする無線基地局受信同期保護設定方式。
【請求項８】
請求項１において，
前記制御手段は，前記第２の同期ワード検出ウインドウを生成する手段のリセット条件として，前記無線基地局で受信する受信信号が所定の平均受信レベル以下になった時，前記第２同期ワード検出ウインドウの前記第１の同期ワード検出ウインドウ内における生成位置を変更することを特徴とする無線基地局受信同期保護設定方式。
【発明の詳細な説明】
【０００１】
【発明の属する技術分野】
本発明は、無線基地局における受信信号の同期保護方式に関する。
【０００２】
【従来の技術】
近年の移動通信システムの普及に伴い無線回線品質の一層の信頼性が求められている。このため高機能な同期保護方式により無線回線品質を守る必要がある。
【０００３】
本出願人が先に開発した、無線基地局における受信信号の同期保護方式では、無線基地局の送信基準タイミングに対して規定された移動局からの受信信号の同期ワードＳＷの位置をカバーする、初期同期確立に使用するための第１の同期ワード検出ウインドウＡＰ１を設けている。
【０００４】
この第１の同期ワード検出ウインドウＡＰ１内で、同期ワードＳＷの検出を行う。一方、移動局から送られる受信信号の同期ワードＳＷの位置は、無線基地局と移動局との距離或いは、電波伝播状況に応じて、受信時毎に異なる。したがって、この初期同期確立に使用する第１の同期ワード検出ウインドウＡＰ１の幅は、受信信号の同期ワードＳＷの位置差をある程度カバーできるだけの幅が必要となる。
【０００５】
しかし、一旦同期が確立した場合には、それ以後の同期ワードＳＷの検出（同期確立維持）を行う際に、同期ワードＳＷの検出位置に大幅な変化がないことが予想できる。
【０００６】
また、広い第１の同期ワード検出ウインドウＡＰ１内で同期ワードの誤検出を防ぐ為に、第１の同期ワード検出ウインドウＡＰ１内で検出した初期同期ワ−ド検出位置を基準とする、第１の同期ワード検出ウインドウＡＰ１よりも狭い幅の第２の同期ワード検出ウインドウＡＰ２を設けている。
【０００７】
すなわち、第１の同期ワード検出ウインドウＡＰ１内で検出した同期ワードＳＷ検出を第２の同期ワード検出ウインドウＡＰ２により保護している。この第２の同期ワード検出ウインドウＡＰ２は、初期同期確立時において一度有効となると、移動局との通信の終了等により同期維持が必要でなくなるまで、第１の同期ワード検出ウインドウＡＰ１との時間的な位置関係は変わらないように設計されていた。
【０００８】
すなわち、上記の本出願人により先に開発された方式においては、一度同期が確立された状態において、予想外な移動局から信号の受信タイミングに大幅な変化により、同期ワードＳＷ検出位置が、第２の同期ワード検出ウインドウＡＰ２の幅を超えてしまった場合には、第２の同期ワード検出ウインドウＡＰ２設定位置を変更する手段がないのものであった。
【０００９】
第１の同期ワード検出ウインドウＡＰ１内で同期ワードＳＷが検出できているにも関わらず、その同期ワード検出位置が、第２の同期ワード検出ウインドウ（ＡＰ２）内にない為に、第２の同期ワード検出ウインドウＡＰ２での検出結果が非同期状態となったままになるという不都合が存在していた。
【００１０】
【発明が解決しようとする課題】
したがって、本発明の目的は、先に開発された方式を改良し、第１の同期ワード検出ウインドウＡＰ１で検出する同期ワードＳＷを第２の同期ワード検出ウインドウＡＰ２で保護の持続を可能とする無線基地局受信同期保護設定方式を提供することにある。
【００１１】
【課題を解決するための手段】
上記本発明の課題を解決する無線基地局受信同期保護設定方式の基本的構成は、無線基地局の送信基準タイミングに対する規定された受信信号の同期ワードの位置をカバーする第１の同期ワード検出ウインドウを生成する手段と、この第１の同期ワード検出ウインドウ内で、且つ前記同期ワードの位置をカバーする第２の同期ワード検出ウインドウを生成する手段と、前記同期ワードを該第１の同期ワード検出ウインドウまたは、前記第２の同期ワード検出ウインドウで検出する同期ワード検出手段と、所定条件時に、前記第２の同期ワード検出ウインドウの前記第１の同期ワード検出ウインドウ内における位置を再設定する制御手段を有する。
【００１２】
そして、具体的態様として、第１に前記同期ワード検出手段により、前記第１の同期ワード検出ウインドウ内で、前記同期ワードを検出した際、次のフレームでは、前記第２の同期ワード検出ウインドウ内で、該同期ワードを検出するよう制御される。
【００１３】
また、第２の具体的態様として、前記同期ワードは、複数のビットで構成され、前記制御手段は、同期ワードのビット誤り率が所定の値以上になった時、前記第２の同期ワード検出ウインドウの位置を再設定する。
【００１４】
さらに第３の具体的態様として、受信信号は、複数のビットで構成されるカラーコードを有し、前記制御手段は、該カラーコードのビット誤り率が所定の値以上になった時、前記第２の同期ワード検出ウインドウの位置を再設定する。
【００１５】
さらにまた、第４の具体的態様として、前記制御手段は、前記無線基地局で受信する受信信号の任意のフレーム数における位相の平均値の差が所定の値以上になった時、前記第２同期ワード検出ウインドウを再設定する。
【００１６】
さらに、第５の具体的態様として、前記制御手段は、前記無線基地局で受信する受信信号に対するＢＣＨ復号を行った結果が誤りであった時、前記第２同期ワード検出ウインドウを再設定する。
【００１７】
また、第６の具体的態様として、前記制御手段は、前記無線基地局で受信する受信信号に対するＣＲＣ演算を行った結果が誤りであった時、前記第２同期ワード検出ウインドウを再設定する。
【００１８】
さらにまた、第７の具体的態様として、前記制御手段は、前記無線基地局で受信する受信信号が所定の値以下になった時、前記第２同期ワード検出ウインドウを再設定する。
【００１９】
本発明の更なる特徴は、以下の図面に従う、本発明の実施の形態の説明から明らかとなる。
【００２０】
【発明の実施の形態】
以下図面に従い、本発明の実施の形態を説明する。なお、図において、同一又は類似のものには同一の参照数字又は、参照記号を付して説明する。
【００２１】
図１は、本発明を適用する無線基地局の構成例ブロック図である。図示しない移動局から送信された無線信号（ａ）を受信し、復調部１でデジタル受信信号（ｂ）に変換する。また復調部１は、無線信号の受信レベルを検出し、復調部レジスタ２に格納する。この復調部レジスタ２に格納される受信レベルは、後にＣＰＵ３により読み取り可能である。
【００２２】
同期部１００には、タイミング生成部４からの基準タイミング、ＣＬＫ（ｇ）から第１の同期ワード検出ウインドウＡＰ１（ｃ）を生成するＡＰ１生成部５を有する。
【００２３】
さらに、同期部１００中の同期ワード検出部６は、ＡＰ１生成部５から送られる第１の同期ワード検出ウインドウＡＰ１（ｃ）内で、デジタル受信信号（ｂ）の同期ワードとカラーコードを検出する。
【００２４】
ここで、デジタル受信信号（ｂ）の同期ワードとカラーコードは、図２により説明される。図２は、デジタル受信信号（ｂ）の物理チャネルフォーマット［図２（ａ）］と、各部の信号を示す図である。
【００２５】
図２（ａ）において、１フレーム分のデジタル受信信号（ｂ）のフォーマットを示し、１フレームは２８０ビットで構成され、同期ワードＳＷは、２０ビット、カラーコードＣＣは、８ビットで構成される。
【００２６】
したがって、同期ワード検出部６での同期ワードＳＷの検出及び、カラーコードの検出は、それぞれ所定のビットパターンと一致するか否かにより判断される。さらに、同期ワードＳＷ及び、カラーコードＣＣの前後にデータ部分を有する。
【００２７】
ここで、同期ワードは、基地局おける受信信号の受信タイミングを確定するために必要であり、さらにカラーコードＣＣは、干渉対策コードであり、干渉局からの無線信号を区別するためにクラスタ（周波数繰り返し単位）毎に割り当てるコードである。すべての無線バースト信号のフレーム中に８ビットづつ配分される。上り・下りで同一パターン（”００”を除く２５５通り）である。
【００２８】
図２（ｂ）は、第１の同期ワード検出ウインドウＡＰ１の生成の基準タイミング（無線基地局の送信基準タイミングに同期したクロック）であり、第１の同期ワード検出ウインドウＡＰ１[ （図２（ｃ）］との位相関係は常に一定である。
【００２９】
先に説明したように、同期ワードＳＷの検出パルス[ （図２（ｄ）］の位置はデジタル受信信号（ｂ）の位相の変化によって第１の同期ワード検出ウインドウＡＰ１内で変化する。
【００３０】
図２に戻り、同期ワード検出部６は、第１の同期ワード検出ウインドウＡＰ１内で検出された同期ワードＳＷとカラーコードＣＣの誤りビット数を同期部レジスタ７に格納する。同期部レジスタ７に格納される同期ワードＳＷとカラーコードＣＣの誤りビット数は、ＣＰＵ３により読み取り可能である。同時に、同期部レジスタ７には、同期ワード検出パルス位相情報即ち、同期ワードＳＷの検出パルス[ （図２（ｄ）］の位置情報がＣＰＵ３により読み取り可能に格納される。
【００３１】
さらに、同期部レジスタ７には、第２の同期ワードの検出ウインドウ生成部８のリセット用信号を書き込む、図示しない書込レジスタが備えられる。
第２の同期ワードの検出ウインドウ生成部８は、同期ワード検出部６において検出した第１の同期ワード検出パルス［（図１（ｄ）：図２（ｄ）に対応する］を中心とする第１の同期ワード検出ウインドウＡＰ１より幅の狭い第２の同期ワード検出ウインドウＡＰ２［（図１（e ）：図２（e ）に対応する］を生成する。
【００３２】
一旦、第２の同期ワード検出ウインドウＡＰ２の生成が開始すると、次のフレームからの第１の同期ワード検出パルス（ｄ）の有無に関係なく、第１の同期ワード検出ウインドウＡＰ１と第２の同期ワード検出ウインドウＡＰ２の位相関係は変化しない。
【００３３】
同期部レジスタ７に第２の同期ワードの検出ウインドウ生成部８のリセット用信号が書き込まれる。このリセット用信号により、第２の同期ワードの検出ウインドウ生成部８がリセットされた時のみ、次の同期ワード検出パルス（ｄ）を中心とする第１の同期ワード検出ウインドウＡＰ１より幅の狭い第２の同期ワード検出ウインドウＡＰ２の生成位置が変更される。
【００３４】
すなわち、図２を参照すると、第２の同期ワード検出ウインドウＡＰ２は、第１の同期ワード検出ウインドウＡＰ１内での同期ワードＳＷの誤検出を防ぐためのものである。初めて同期ワードＳＷが検出された時、第２の同期ワード検出ウインドウＡＰ２は、同期ワードＳＷの検出パルス（ｄ）の位置を中心とする位置に、第２の同期ワード検出ウインドウ生成部８により生成される。
【００３５】
その後は、上記リセット用信号により、第２の同期ワード検出ウインドウ生成部８がリセットされるまで、第２の同期ワード検出ウインドウＡＰ２の第１の同期ワード検出ウインドウとの位相関係は変化しない。
【００３６】
さらに、図１において、ＤＥＴパルス生成部９は、同期ワード検出パルス（ｄ）と第２の同期ワード検出ウインドウＡＰ２のＡＮＤ条件で判定（ＤＥＴ）パルス（ｆ）を出力する。
【００３７】
ＤＥＴパルス（ｆ）は、通常、同期ワードＳＷ検出パルス（ｄ）と第２の同期ワード検出ウインドウＡＰ２のＡＮＤ条件で、ＤＥＴパルス生成部９から出力される。同期ワードＳＷ検出部６で同期ワードＳＷが検出できない場合は、ＤＥＴパルス生成部９で、第２の同期ワード検出ウインドウＡＰ２の中心位置にＤＥＴパルス（ｆ）を生成し、出力する。
【００３８】
ただし、同期ワードＳＷ検出パルス（ｄ）が第１の同期ワード検出ウインドウＡＰ１内にあるが、第２の同期ワード検出ウインドウＡＰ２の幅外にある場合は、ＤＥＴパルス（ｆ）は出力されない。
【００３９】
図１において、受信信号処理部２００のデータ抜き出し部１０は、復調部１からのデジタル受信信号（ｂ）を入力し、ＤＥＴパルス生成部９からのＤＥＴパルス（ｆ）及び、タイミング生成部４からの基準タイミングにより、データを抜き出し、バッファ部１１に格納する。
【００４０】
受信信号処理部２００において、更にバッファ部１１に格納されたデータは、デジタル方式自動車電話システム標準規格（ＲＣＲＳＴＤ−２７）に基づき、デインターリーブ処理部１２において、デインターリーブの対象とされる。デインターリーブ処理は、縦書きされている受信信号のデータをバッファ部１１から読み出す際に、横読みすることにより、元の順序の信号に戻す処理である。
【００４１】
次いで、デインターリーブ処理部１２からのデインターリーブ後のデータをデジタル方式自動車電話システム標準規格（ＲＣＲＳＴＤ−２７）にもとずいて、ＢＣＨ復調部１３でＢＣＨ復号を行う。さらに、その結果を受信信号処理部レジスタ１４に格納する。
【００４２】
さらに、ＣＲＣ演算部１５は、ＢＣＨ復調部１３からのＢＣＨ復号後のデータをデジタル方式自動車電話システム標準規格（ＲＣＲＳＴＤ−２７）に基づいて、ＣＲＣ演算を行い、その結果を出力する。また、同様にそのＣＲＣ演算結果を受信信号処理部レジスタ１４に格納する。
【００４３】
さらに、図１中、タイミング生成部４は、同期部１００と、受信信号処理部２００の処理に必要とする基準タイミング、ＣＬＫを生成し、各レジスタ２、７、１４の読み出しタイミング（ｉ）をＣＰＵ３に供給する。
【００４４】
ＣＰＵ３は、タイミング生成部４からの各レジスタ２、７、１４の読み出しタイミング（ｉ）により、各レジスタ２、７、１４の監視を行う。また、同期部レジスタ７にセットされた同期ワードビット誤り数及び、カラーコードビット誤り数を読み出し、その値をもとに、各々の任意のフレーム数におけるビット誤り率を計算する。
【００４５】
図１において更に、後に詳細に説明するが、メモリ１６は、第２の同期ワード検出ウインドウ生成部８のリセット条件を記憶するメモリである。そして、ＣＰＵ３は、メモリ１６に記憶された第２の同期ワード検出ウインドウ生成部８のリセット条件に、上記計算されたビット誤り率が合致するか否かを判断する。その判断結果は、同期レジスタ７の第２の同期ワード検出ウインドウ生成部リセットレジスタにリセットデータとして書き込まれる。
【００４６】
ここで、上記の第２の同期ワード検出ウインドウ生成部８のリセット条件に合致する場合の内容について、実施例として以下に説明する場合である。
図１に示す如くＣＰＵ３がタイミング生成部４からの同期部レジスタ７の読出しタイミング（ｉ）によってフレーム毎に同期部レジスタ７にセットされた同期ワードＳＷの誤り数を読み出す。
【００４７】
そして、ＣＰＵ３は、同期ワードＳＷの誤り数からＮフレームにおけるビット誤り率を随時計算する。メモリ１６に設定されている第２の同期ワード検出ウインドウ生成部８のリセット条件である、同期ワードビット誤り率Ｘ％以上の条件を満たした時、同期部レジスタ７のＡＰ２生成部リセットレジスタを通して、第２の同期ワード検出ウインドウ生成部８のリセットを行う。
【００４８】
この時、第２の同期ワード検出ウインドウＡＰ２内での同期ワード検出パルス（ｄ）位置を基準に、第２の同期ワード検出ウインドウＡＰ２の生成位置を変更する。したがって同期ワード検出パルス（ｄ）の、第２の同期ワード検出ウインドウＡＰ２による保護がはずれることを防ぐことができる。
【００４９】
ここで、実施例として、同期ワードビット誤り率の計算例を説明する。図３は、本発明の１実施例構成図であり、無線基地局の受信部を示したものである。図中、図１で示したものと同一のものは、同一の番号で示してあり、図１の同期部１００及び、受信信号処理部２００の構成を受信信号の複数のスロット（Ｓ０〜Ｓｎ）のそれぞれに対応して設けている。
【００５０】
この様に、図３の実施例では、ＣＰＵ３により、各スロットの受信部を別々に監視することにより、各スロット 毎の第２の同期ワード検出ウインドウ生成部８のリセット条件により、個々にリセットを行えるようにしている。かかる構成での第２の同期ワード検出ウインドウ生成部８のリセット条件の計算例を下記に示す。
【００５１】
任意の連続する６フレーム毎の同期ワードＳＷの誤り数をＤ１，Ｄ２，Ｄ３，Ｄ４，Ｄ５，Ｄ６として想定し、誤り率を３フレ−ムごとに計算した場合、
例えば、初めの誤り率をＤ１，Ｄ２，Ｄ３の平均値とし、次の誤り率をＤ４，Ｄ５，Ｄ６の平均値として計算する方法、あるいは初めの誤り率をＤ１，Ｄ２，Ｄ３の平均値とし、次の誤り率をＤ２，Ｄ３，Ｄ４の平均値とすることも可能である。
【００５２】
具体例で考えると、同期ワード誤り数は、１フレームにおける同期ワードＳＷのビット数（２０ビット）中の誤りビット数（最大２０）である。そして、任意の連続する６フレームにおける同期ワードＳＷの誤り数（Ｄ１〜Ｄ６）をＤ１＝２，Ｄ２＝１，Ｄ３＝０，Ｄ４＝０，Ｄ５＝１，Ｄ６＝１とする。
３フレーム毎の誤り率を算出する場合で、初めの誤り率をＤ１〜Ｄ３の平均値、
【００５３】
次の誤り率Ｄ４〜Ｄ６の平均値として、算出する。
【００５４】
同期ワード誤り数は、１フレームにおける同期ワードＳＷのビット数（２０ビット）中の誤りビット数（最大２０）である。
【００５５】
任意の連続する６フレームにおける同期ワードＳＷ誤り数（Ｄ１〜Ｄ６）を、２、１、０、０、１、１とし、３フレーム毎に誤り率を算出する場合で初めの誤り率をＤ１〜Ｄ３，次の誤り率をＤ４〜Ｄ６の平均値として算出する場合は、下記のようになる。
【００５６】
【数１】
0003850151.tif 000002
【００５７】
【数２】
0003850151.tif 000003
次に、第２の同期ワード検出ウインドウ生成部８のリセットを行う実施例方法は、カラーコードＣＣの誤り率を計算する方法である。
図１に示す如く、ＣＰＵ３がタイミング生成部４からの同期レジスタ７の読み出しタイミング（ｉ）によって、フレーム毎に同期部レジスタ７のカラーコードＣＣの誤り数を読み出す。そして、Ｎフレームにおけるビット誤り率を随時計算する。
【００５８】
この計算されたビット誤り率をメモリ１６にセットされた第２の同期ワード検出ウインドウ生成部８のリセット条件であるカラーコード誤り率Ｘ％と比較する。そして、計算されたカラーコードＣＣのビット誤り率が、リセット条件であるカラーコード誤り率Ｘ％以上である時に、同期部レジスタ７の第２の同期ワード検出ウインドウ生成部リセットレジスタを通して、第２の同期ワード検出ウインドウ生成部８のリセットを行う。
【００５９】
このリセットにより、その時の第１の同期ワード検出ウインドウＡＰ１内での同期ワード検出パルス（ｄ）の位置を基準に、第２の同期ワード検出ウインドウＡＰ２の生成位置を変更する。したがって同期ワード検出パルス（ｄ）の、第２の同期ワード検出ウインドウＡＰ２による保護がはずれることを防ぐことができる。
【００６０】
第２の同期ワード検出ウインドウ生成部８のリセットを行う第３の方法として、ＢＣＨ復号の結果に基づくことが可能である。
【００６１】
図１に示す如く、ＣＰＵ３がタイミング生成部４からの同期レジスタ７の読出しタイミング（ｉ）によって、フレーム毎に同期部レジスタ７の受信信号処理部レジスタ１４のＢＣＨ復号結果レジスタを読み出す。
そして、メモリ１６に設定されている第２の同期ワード検出ウインドウ生成部８のリセット条件であるＢＣＨ符号結果の条件を満たした時、同期部レジスタ７の第２の同期ワード検出ウインドウ生成部リセットレジスタを通して、第２の同期ワード検出ウインドウ生成部８のリセットを行う。
【００６２】
これにより、第１の同期ワード検出ウインドウＡＰ１内での同期ワード検出パルス（ｄ）の位置を基準に、第２の同期ワード検出ウインドウＡＰ２の生成位置を変更する。
【００６３】
すなわち、ＣＰＵ３により、ＢＣＨ復号の結果において、誤りがＮ回以上連続した場合、あるいはＮフレーム中にＮ回以上誤りを検出した場合、第２の同期ワード検出ウインドウ生成部８のリセットを行うように制御する。したがって、同期ワード検出パルス（ｄ）の、第２の同期ワード検出ウインドウＡＰ２による保護がはずれることを防ぐことができる。
【００６４】
同様に、第２の同期ワード検出ウインドウ生成部８のリセットを行う第４の方法として、ＣＲＣ演算の結果に基づくことが可能である。
【００６５】
すなわち、図１に示す如く、ＣＰＵ３がタイミング生成部４からの同期レジスタ７の読み出しタイミング（ｉ）によって、受信データ中の各機能チャネルのＣＲＣ演算処理毎に受信信号処理部レジスタ１４のＣＲＣ演算結果を読み出す。
【００６６】
そして、メモリ１６に設定された第２の同期ワード検出ウインドウ生成部８のリセット条件として、ＣＲＣ演算結果がその条件を満たした時、同期部レジスタ７の第２の同期ワード検出ウインドウ生成部リセットレジスタを通して、第２の同期ワード検出ウインドウ生成部８のリセットを行う。
【００６７】
これにより、その時の第１の同期ワード検出ウインドウＡＰ１内での同期ワード検出パルス（ｄ）の位置を基準にして、第２の同期ワード検出ウインドウＡＰ２の生成位置を変更する。したがって同期ワード検出パルス（ｄ）の、第２の同期ワード検出ウインドウＡＰ２による保護がはずれることを防ぐことができる。
【００６８】
上記ＣＲＣ演算結果が、第２の同期ワード検出ウインドウ生成部８のリセット条件を満たす場合として、例えば、ＣＲＣ演算の各々の結果に誤りがＮ回以上連続した場合、あるいはＮフレーム中にＮ回以上の誤りを検出した場合であり、個の条件に一致する時、第２の同期ワード検出ウインドウ生成部８のリセットを行うように制御する。
【００６９】
さらに、第２の同期ワード検出ウインドウ生成部８のリセットを行う第５の方法として、同期ワードＳＷの検出位相に基づく様に制御することが可能である。
【００７０】
すなわち、図１に示す如く、ＣＰＵ３がタイミング生成部４からの同期レジスタ７の読出しタイミング（ｉ）によって、フレーム毎に同期部レジスタ７の同期ワード検出位相値を読み出す。そして、Ｎフレームにおける同期ワード検出位相値を随時計算する。
【００７１】
この計算された同期ワード検出位相値と、メモリ１６に設定されている第２の同期ワード検出ウインドウ生成部８のリセット条件としての同期ワード検出位相平均値の差Ｘを比較する。計算された同期ワード検出位相値が、同期ワード検出位相平均値の差Ｘ以上である場合は、第２の同期ワード検出ウインドウ生成部８のリセット条件を満たす。
【００７２】
この時、同期部レジスタ７の第２の同期ワード検出ウインドウ生成部リセットレジスタを通して、第２の同期ワード検出ウインドウ生成部８のリセットを行う。この時の第１の同期ワード検出ウインドウＡＰ１内での同期ワード検出パルス（ｄ）の位置を基準に、第２の同期ワード検出ウインドウＡＰ２の生成位置を変更する。したがって、同期ワード検出パルス（ｄ）の、第２の同期ワード検出ウインドウＡＰ２による保護がはずれることを防ぐことができる。
【００７３】
この第５の方法を具体例で更に説明する。図４は、第１の同期ワード検出ウインドウＡＰ１内での同期ワードＳＷの検出パルス（ｄ）の位置に対する位相値の関係を示すものである。
【００７４】
各５フレーム毎の位相値の平均の差が１以上の時を第２の同期ワード検出ウインドウ生成部８のリセット条件とする場合、任意の１０フレーム中において同期ワード検出パルスの位相値が下記の場合を例に挙げる。
【００７５】
【数３】
0003850151.tif 000004
上記例では、初めの５フレームの位相値の平均値は０．４で、後の５フレームの位相値の平均は１．６となる。よって、その差が１．２となり、リセット条件の１以上を満たすことになる。これにより、第２の同期ワード検出ウインドウ生成部８がリセットされる。
【００７６】
なお、上記第１〜第５フレームの位相の平均値と第６〜第10フレームの位相の平均値は、それぞれ次の関係式から求められる。
【００７７】
【数４】
0003850151.tif 000005
【００７８】
【数５】
0003850151.tif 000006
第１〜第５フレームの位相差の平均値と第６〜第１０フレームの位相の平均値の差は、０．４−１．６＝１．２（±は省く）である。
次に、第２の同期ワード検出ウインドウ生成部８のリセットを行う第６の実施例方法として、受信信号の受信に基づく様に制御することが可能である。
【００７９】
すなわち、図１に示す如くＣＰＵ３がタイミング生成部４からの同期レジスタ７の読出しタイミング（ｉ）によって、フレーム毎に復調部レジスタ２の受信レベル値を読み出す。
【００８０】
そして、ＣＰＵ３は、読み出した受信レベル値を、Ｎフレームにおいて、その平均を随時計算する。そして、メモリ１６に設定された第２の同期ワード検出ウインドウ生成部８のリセット条件である受信レベルＸと、計算された平均受信レベル値を比較する。
【００８１】
平均受信レベル値が、リセット条件である受信レベルＸ以下の条件を満たした時、同期部レジスタ７の第２の同期ワード検出ウインドウ生成部リセットレジスタを通して、第２の同期ワード検出ウインドウ生成部８のリセットを行う。
これにより、その時の第１の同期ワード検出ウインドウＡＰ１内での同期ワード検出パルス（ｄ）の位置を基準に、第２の同期ワード検出ウインドウＡＰ２の生成位置を変更する。したがって同期ワード検出パルス（ｄ）の、第２の同期ワード検出ウインドウＡＰ２による保護がはずれることを防ぐことができる。
【００８２】
【発明の効果】
以上図面に従い、実施の形態を説明したように本発明によれば、無線基地局の受信信号の位相が大幅に変化した場合においても、その変化に影響なく同期確立を維持することが出来る。これにより、無線基地局の受信性能の向上に寄与するところが大きい。
【図面の簡単な説明】
【図１】本発明を適用する無線基地局の構成例ブロック図である。
【図２】デジタル受信信号（の物理チャネルフォーマットと、各部の信号を示す図である。
【図３】本発明の１実施例構成図であり、無線基地局の受信部を示したものである。
【図４】第１の同期ワード検出ウインドウＡＰ１内での同期ワードＳＷの検出パルスの位置に対する位相値の関係を示すものである。
【符号の説明】
１００同期部
２００受信信号処理部
１復調部
２復調部レジスタ
３ＣＰＵ
４  タイミング生成部
５  第１の同期ワード検出ウインドウ生成部
６  同期ワード検出部
７  同基部レジスタ
８  第２の同期ワード検出ウインドウ生成部
９  ＤＥＴパルス生成部
１０  データ抜き出し部
１１  バッファ部
１２  デインターリーブ処理部
１３  ＢＣＨ復調
１４  受信信号処理部レジスタ部
１５  ＣＲＣ演算部
１６  メモリ
【図１】
0003850151.tif 000007
【図２】
0003850151.tif 000008
【図３】
0003850151.tif 000009
【図４】
0003850151.tif 000010